(57)【要約】      （修正有）【課題】コンパクトなサイズで低コストに携帯情報端末を取り回しよく配置することができる携帯情報端末の充電装置を提供する。【解決手段】携帯情報端末を自装置に接続する接続部１３、１４と、接続部の下方に配置される接地部１６と、を備え、接地部は、携帯情報端末の一部とで自装置を傾けて支持する。携帯情報端末の一部と接地部とで充電部１１を傾けて支持する一部を、携帯情報端末を充電部に接続する接続面側１１ａから充電部の背面１１ｂ側に、向かって通す通し部１５を接地部の所定位置に形成する。【選択図】図１
2016189562.tif 000002
【特許請求の範囲】
【請求項１】
携帯情報端末を自装置に接続する接続部と、
前記接続部の下方に配置される接地部と、を備え、
前記接地部は、前記携帯情報端末の一部とで自装置を傾けて支持することを特徴とする携帯情報端末の充電装置。
【請求項２】
前記接地部は、前記携帯情報端末の一部を、自装置に接続する接続面側から自装置の背面側に向かって通す通し部が、所定位置に形成されていることを特徴とする請求項１記載の携帯情報端末の充電装置。
【請求項３】
前記通し部は、前記接地部の何れかの側面の一部を切り欠いて略コの字形状に形成されていることを特徴とする請求項２記載の携帯情報端末の充電装置。
【請求項４】
前記接続部は、前記携帯情報端末を挟み込むように保持する、第１の保持部と、該第１の保持部に対向して配置される第２の保持部を有し、
前記第１の保持部又は前記第２の保持部の少なくとも何れか一方が弾性材料を含み形成されていることを特徴とする請求項１から３の何れか１項に記載の携帯情報端末の充電装置。
【請求項５】
前記第１の保持部又は前記第２の保持部の少なくとも何れか一方に前記第１の保持部又は前記第２の保持部による前記携帯情報端末の保持状態を解除する解除部を備えることを特徴とする請求項４記載の携帯情報端末の充電装置。
【請求項６】
前記第１の保持部の形状と前記第２の保持部の形状とが互いに異なることを特徴とする請求項４又は５記載の携帯情報端末の充電装置。
【請求項７】
携帯情報端末を自装置に接続する接続部と、
前記接続部の下方に配置される接地部と、
前記携帯情報端末へ充電するための電力を受電する電源ケーブルと、を備え、
前記電源ケーブルは、自装置の背面側から前記接地部の接地面に向かって延出し、前記接地部と前記電源ケーブルとで自装置を傾けて支持するための弾性材料を含み構成されていることを特徴とする携帯情報端末の充電装置。
【請求項８】
前記接続部により前記携帯情報端末が自装置に接続される接続面には、
前記携帯情報端末に電力を供給する電力供給部と、
前記携帯情報端末が前記接続部により自装置に接続されているとき前記電力供給部から前記携帯情報端末への電力供給を行い、前記携帯情報端末が前記接続部により自装置に接続されていないとき前記電力供給部から前記携帯情報端末への電力供給を遮断する電力供給制御部と
を有することを特徴とする請求項１から７の何れか１項に記載の携帯情報端末の充電装置。
【請求項９】
前記電力供給制御部は、前記携帯情報端末が前記接続部により自装置に接続されているときは前記携帯情報端末により押し込まれることで前記電力供給部から前記携帯情報端末への電力供給を行うスイッチを有し、
前記スイッチは、前記携帯情報端末が前記接続部により自装置に接続されていないときは前記電力供給部から前記携帯情報端末への電力供給を遮断するために前記スイッチを押し戻す弾性部材を有することを特徴とする請求項７記載の携帯情報端末の充電装置。
【請求項１０】
携帯情報端末と当該携帯情報端末を充電するための電力を供給する充電装置との充電システムであって、
前記充電装置は、
前記携帯情報端末を前記充電装置に接続する接続部と、
前記接続部の下方に配置される接地部と、を備え、
前記接地部と前記携帯情報端末の一部とで、前記充電装置に接続した前記携帯情報端末を傾けて支持することを特徴とする充電システム。
【発明の詳細な説明】
【技術分野】
【０００１】
本発明は、携帯情報端末の充電装置および充電システムに関する。
【背景技術】
【０００２】
近年、スマートフォンや携帯電話等の携帯情報端末の分野において、例えば電話やメール等の一部の機能だけに特化したような端末として、腕時計タイプのものやペンダントタイプのものや人体の一部に取り付けて使用するウェアラブルデバイス等が登場してきている。
【０００３】
ここで、上記のような端末は充電時には人体から取り外して、対応する充電装置に接続する必要がある。その際、端末を充電装置に接続した際に卓上に傾けて設置することができる充電台が既に知られている。
【０００４】
上記に関し、例えば特許文献１には、腕時計型の電子機器を安定した状態で卓上に配置できるグレードルが開示されている。
【先行技術文献】
【特許文献】
【０００５】
【特許文献１】特開２００８−９６６５号公報
【発明の概要】
【発明が解決しようとする課題】
【０００６】
ところで、特許文献１に開示されたようなグレードルは、腕時計型の電子機器を安定した状態で卓上に配置すべく、装置本体の背面に収納可能に取り付けられ、装置本体をその長手方向に傾けて立て掛けるためのスタンド部材を必要とする。このようなスタンド部材は、グレードル全体が大きくなるとともに、スタンド部材を別途設けることによるコストが増加してしまう。
【０００７】
本発明は、このような実情に鑑みてなされたものであって、コンパクトなサイズで低コストに携帯情報端末を取り回しよく配置することができる携帯情報端末の充電装置を提供することを目的とする。
【課題を解決するための手段】
【０００８】
上記の課題を解決するため、本発明の携帯情報端末の充電装置は、携帯情報端末を自装置に接続する接続部と、接続部の下方に配置される接地部と、を備え、接地部は、携帯情報端末の一部とで自装置を傾けて支持することを特徴とする。
【発明の効果】
【０００９】
本発明によれば、コンパクトなサイズで低コストに携帯情報端末を取り回しよく配置することができる。
【図面の簡単な説明】
【００１０】
【図１】本発明の実施形態における充電装置の概略図である。
【図２】本発明の実施形態における充電装置に腕時計型の携帯情報端末を接続した状態を示す概略図である。
【図３】本発明の実施形態における充電装置に腕時計型の形態情報端末が接続される場合の対応関係を示す参考図である。
【図４】本発明の変形例に係る充電装置の概略図である。
【図５】本発明の変形例に係る充電装置の概略図である。
【図６】本発明の変形例に係る充電装置の概略図である。
【発明を実施するための形態】
【００１１】
本発明の実施形態における携帯情報端末の充電装置（以下、単に「充電装置」という。）について図を用いて以下説明する。なお、各図中、同一又は相当する部分には同一の符号を付しており、その重複説明は適宜に簡略化乃至省略する。なお、以下では携帯情報端末として腕時計型情報端末を例として説明するが、本発明における携帯情報端末はこれに限定されず、例えばペンダント型端末でも、人体のいずれかの部分に装着して使用するウェアラブル端末等でもよい。また、充電装置に電力を供給する電源部としての電源ケーブルの端子は、ＡＣ１００Ｖ等の商用電源を供給する電源プラグであっても、ＰＣ等に設けられたＵＳＢ端子から電力の供給を受けるＵＳＢコネクタであってもよい。また、充電装置に電力を供給する電源は、電源ケーブルでなく、充電池または乾電池でもよい。
【００１２】
本実施形態における充電装置１の概略構成について図１を参照して説明する。充電装置１は、腕時計型情報端末を充電部１１に接続する接続部１３と、接続部１３に対向して配置される接続部１４を備える。接続部１３、１４は、腕時計型情報端末を両側から挟み込むように保持する第１の保持部、第２の保持部として機能する。接続部１３は弾性材料を含んで形成され、図１（ｃ）に示すように、矢印Ｂ方向つまり図１（ｂ）では図の奥方向へ、接続部１３に連通する解除部１３０を押し込むことにより、接続部１３に含まれた弾性材料の作用により２点鎖線で示すように撓み、爪状部分（以下「爪部」という。）が形成された接続部１３による腕時計型情報端末の一端への保持状態が解除される。接続部１４は、図１（ｄ）に示すような接続部１３と形状が異なる爪部が形成されているが、接続部１３のように弾性材料を含んで形成されていてもいなくてもよい。接続部１４が接続部１３のように弾性材料を含んで形成されている場合は、接続部１４にも解除部を有してもよい。接続部１４は、腕時計型情報端末の他端に設けられた凹部に、爪部を引っ掛けられることで、腕時計型情報端末の他端側を保持する。本実施形態では、接続部１３には単体の爪部が形成され、接続部１４には２つの爪部（複数の爪部）が形成されている。このように、接続部１３の形状と接続部１４の形状とが互いに異なることにより、腕時計型情報端末が逆向きに取り付けられることを回避することができる。なお、接続部１３に複数の爪部が形成され、接続部１４には単体の爪部が形成されてもよい。また、本実施形態では接続部１３が図１（ｂ）における左側に設けられ、接続部１４が右側に設けられているが、両者を逆に設けることとしてもよい。また、接続部１３と接続部１４を充電部１１の上側及び下側に設けることとしてもよい。また、本実施形態では、接続部１３及び接続部１４はそれぞれに設けられた爪部が、腕時計型情報端末の対応する部分に設けられた該爪部を嵌め込む凹部に引っ掛けられることで腕時計型情報端末を保持しているが、爪状に限定されるものではなく、腕時計型情報端末を保持可能な形状であればよい。
【００１３】
さらに、充電装置１は、接続部１３、１４の下方に接地部１６を備える。接地部１６は文字通り卓上等の接地面に接地させる部分である。
【００１４】
さらに、充電装置１では、腕時計型情報端末の一部と接地部１６とで充電部１１を傾けて支持する一部（後述する下側バンドに相当）を、腕時計型情報端末を充電部１１に接続する接続面１１ａ側から充電部１１の背面１１ｂ側に、向かって通す通し部１５を接地部１６の所定位置に形成する。本実施形態では、図１（ｂ）に示すように、通し部１５は接地部１６の右側の一部（ここでは、接続面１１ａの右下近傍）を切り欠いて略コの字形状に形成されている。このコの字形状に形成された通し部１５に後述する下側バンドが通ることになる。なお、本実施形態では、通し部１５は接地部１６の右側の一部を切り欠いているが、逆に接地部１６の左側の一部を切り欠いた略コの字形状に形成してもよい。また、コの字形状に形成する際の切欠き部分の上下方向の高さは、下側バンドの厚みや下側バンドが通し部１５を通る角度に応じて適宜変更することとしてもよい。
【００１５】
また、本実施形態における充電装置１では、図１（ａ）に示すように、充電部１１の背面１１ｂ側から充電部１１に電力を供給する電源ケーブル１２が延出しているが一例であり、接続面１１ａを除く任意の箇所から電源ケーブル１２が延出されるものであればよい。
【００１６】
さらに、本実施形態における充電装置１の接続面１１ａの左上には、腕時計型情報端末に電力を供給する電力供給部としての電源端子１７が設けられている。なお、ここでの電源端子１７の配置は一例であり、かかる配置に限定されるものではない。また、電源端子１７は４つの端子から構成されているが、これに限定されず３つ以下でも５つ以上であってもよい。また、本図では電源端子１７の形状が丸形状で形成されているが、例えば矩形状等のその他の形状であってもよい。また、電源端子１７は、バネなどの弾性部材を有し、腕時計型情報端末側の電源端子により押し込まれた際に、弾性部材により電源端子１７を腕時計型情報端末側の電源端子に押し当てる力を発するように構成することが望ましい。
【００１７】
また、充電装置１の接続面１１ａの右下には、電力供給制御部としての電源切替スイッチ１８が設けられている。電源切替スイッチ１８は、腕時計型情報端末が接続部１３、１４により充電部１１に接続されているとき電源端子１７から腕時計型情報端末への電力供給を行い、腕時計型情報端末が接続部１３、１４により充電部１１に接続されていないとき電源端子１７から腕時計型情報端末への電力供給を遮断する。これにより、無駄な電力供給がされず、省エネルギー効果を高めることが可能となる。
【００１８】
電源切替スイッチ１８は、腕時計型情報端末が接続部１３、１４により充電部１１に接続されているときは腕時計型情報端末の背面側により押し込まれることで、電源部と電源端子１７とを電気的に接続し、電源端子１７から腕時計型情報端末への電力供給を行う。他方、電源切替スイッチ１８は、腕時計型情報端末が接続部１３、１４により充電部１１に接続されていないときは接続面１１ａから突出させて、電源部と電源端子１７とを電気的に切断し、電源端子１７から腕時計型情報端末への電力供給を遮断するために電源切替スイッチ１８を押し戻す弾性部材を有している。例えば、弾性部材としてコイルスプリングを採用する場合、コイルスプリングを電源切替スイッチ１８の底部に取り付ける場合について説明すると、腕時計型情報端末の背面側により電源切替スイッチ１８が充電部１１内へ押し込まれるとき、コイルスプリングが収縮し、腕時計型情報端末の背面側による電源切替スイッチ１８への押圧が解除されると、収縮していたコイルスプリングがその付勢力により収縮状態から解放されて電源切替スイッチ１８を押し戻す。なお、電源切替スイッチ１８は接続面１１ａの右下に限定されず、例えば左下等に設けられるものであってもよい。なお、電源切替スイッチ１８の誤動作を防止する等の観点からは電源端子１７と所定距離、離間させて配置することが好ましい。
【００１９】
次に、本実施形態における充電装置１に腕時計型情報端末２０を接続した状態について図２を参照して説明する。図２（ａ）は、充電装置１に腕時計型情報端末２０を接続した状態の斜視図であり、図２（ｂ）はその右側面図であり、図２（ｃ）は腕時計型情報端末２０を示す斜視図である。
【００２０】
腕時計型情報端末２０を充電装置１に接続するとき、腕時計型情報端末２０の一部である下側バンド２１が通し部１５を通って接地面Ｇに接地し、これと接地部１６の接地面Ｇへの接地の２箇所での支持により充電装置１は接地面Ｇに対して所定の傾斜を保って起立される。所定の傾斜とは、例えば接地面Ｇに対して５６．５度等であればよく、充電装置１に接続された腕時計型情報端末２０の表示面がユーザに見やすくなるような角度であることが好ましい。
【００２１】
図２（ｃ）に示すように、腕時計型情報端末２０は、バンド部を備える。バンド部は、腕時計型情報端末２０の上側から背面奥側に回り込むように上側バンドが形成され、腕時計型情報端末２０の下側から背面奥側に回り込むように下側バンド２１が形成されている。ただし、バンド部は、下側バンド２１の長手方向の長さをを長くすることで、上側バンド無しで構成されても構わない。バンド部（少なくとも下側バンド２１）は、充電装置１を支持するだけの硬さを有し、かつ、ユーザの腕にも嵌めやすい所定の柔軟性をも兼ね備えた弾性力を有する樹脂材料等で形成されていることが好ましい。本実施形態における腕時計型情報端末２０の下側バンド２１の好適な樹脂材料としては、例えばエラストマー等であればよい。
【００２２】
また、図２（ｃ）に示すように、腕時計型情報端末２０は、電源を投入するための電源スイッチ２２、電話機能を使用する際に用いるスピーカ２３及びマイクロフォン２４を備えている。また、腕時計型情報端末２０の前面側には、各種表示画面を表示するためのディスプレイ２５を備え、ディスプレイ２５の下層にはディスプレイ２５へのユーザによるタッチ操作を感知するタッチパネルが備えられている。なお、腕時計型情報端末２０の上記構成は一例であって、本実施形態における充電装置１に接続される腕時計型情報端末２０の構成を上記構成に限定するものではなく、例えば、腕時計型情報端末２０がカメラ等の撮影部等を備えてしてもよい。
【００２３】
次に、本実施形態における充電装置１に腕時計型情報端末２０を接続する際の、接続部１３及び接続部１４並びに電源端子１７と、被接続部２８及び被接続部２９並びに電源端子２７との接続対応関係について図３を参照して説明する。本図では、対応関係を示すために一点鎖線で各部同士を結んでいる。
【００２４】
腕時計型情報端末２０の背面側には、充電装置１から電力を受電する受電部としての電源端子２７、凹状の被接続部２８、被接続部２８に対向して配置される凹状の被接続部２９を備えている。充電装置１に腕時計型情報端末２０が接続されるとき、凹状の被接続部２９が接続部１４の爪部に引っ掛けられ、凹状の被接続部２８が接続部１３の爪部に引っ掛けられる。詳細には、凹状の被接続部２９が接続部１４の爪部に引っ掛けられた後、時計型情報端末２０が接続面１１ａの方向に押し込まれると、凹状の被接続部２８の縁に接続部１３の爪部が当接し、更に、腕時計型情報端末２０が接続面１１ａの方向に押し込まれると、接続部１３の弾性により、凹状の被接続部２８の縁に沿って接続部１３の爪部が図示上奥方向に押されて（回動して）開き、接続部１３の爪部が凹状の被接続部２８の縁を過ぎると、弾性材料で形成された接続部１３の図示上手前方向に戻ろうと（閉じる方向に回動）する付勢力により被接続部２８に対する接続部１３の爪部が閉じ、接続部１３の爪部と凹状の被接続部２８の引っ掛かりを確実にして、腕時計型情報端末２０が充電部１１に固定される。この固定により、電源端子１７は電源端子２７の位置に対応して接触し、充電装置１と腕時計型情報端末２０との電気的接続が完了する。また、充電装置１に腕時計型情報端末２０が固定されるとき、腕時計型情報端末２０の背面によって、電源切替スイッチ１８は充電部１１内へ押し込まれることにより、上述の通り電源端子１７への電力供給が行われる。
【００２５】
［変形例１］
次に、本発明の変形例１に係る充電装置１’の概略構成について図４を参照して説明する。なお、上述した本実施形態における充電装置１と同様の構成についての説明は省略する。変形例１は、充電装置１’が、充電部１１の背面１１ｂ’の背面（ここでは略中央）側から接地面Ｇ側に向かって延出する電源ケーブル１２’が弾性材料を含んで構成されている点において充電装置１と異なる。弾性材料としては、電源ケーブル１２’が充電装置１’を支持するだけの張力を有するものであれば特に材質等は限定されない。また、そのような弾性材料は、電源ケーブル１２’の被服部分に編み込まれているものであっても、その内部に他の信号線とともに並置されているものであってもよい。
【００２６】
変形例１に係る構成により、接地部１６の接地面Ｇへの接地と電源ケーブル１２’ の少なくとも一部の接地面Ｇへの接地との２箇所での支持により、充電部１１’を傾けて支持することができる。また、充電部１１’を支持するために電源ケーブルを利用するため、装置コストを低コストにすることができる。さらに、変形例１では、腕時計型情報端末２０以外の、例えばペンダント型やキーチェーン型、あるいはストラップ型等の端末であっても、電源ケーブル１２’がその端末と充電装置１’とを支持するだけの張力を有するものであれば、その端末の表示面を見やすくするように傾斜させて接続することが可能となる。
【００２７】
［変形例２］
次に、本発明の変形例２に係る充電装置１００の概略構成について図５を参照して説明する。図５（ａ）は、充電装置１００の概略正面図であり、図５（ｂ）は充電装置１００に腕時計型情報端末２０を接続した状態を示す概略斜視図である。なお、上述した本実施形態における充電装置１と同様の構成についての説明は省略する。
【００２８】
変形例２は、充電装置１００の通し部１５０がロの字形状となっている点が、充電装置１におけるコの字形状の通し部１５と異なっている。なお、通し部１５０のロの字形状部分の上下方向の高さあるいは左右方向の幅は、腕時計型情報端末２０の下側バンドの大きさや形状、あるいは下側バンドが通し部１５０に通されるときの角度に応じて適宜変更することとしてもよい。変形例２によっても、ロの字形状の通し部１５０に下側バンド２１を通して下側バンド２１と接地部１６０とで充電装置１００を支持することが可能である。
【００２９】
［変形例３］
次に、本発明の変形例３に係る充電装置２００の概略構成について図６を参照して説明する。図６（ａ）は、充電装置２００の概略正面図であり、図６（ｂ）は充電装置２００に腕時計型情報端末２０を接続した状態を示す概略斜視図である。なお、上述した本実施形態における充電装置１と同様の構成についての説明は省略する。
【００３０】
変形例３は、充電装置２００の通し部２５０が逆Ｕ字形状となっている点が、充電装置１におけるコの字形状の通し部１５と異なっている。なお、通し部２５０の逆Ｕ字形状部分の上下方向の高さあるいは左右方向の幅は、腕時計型情報端末２０の下側バンドの大きさや形状、あるいは下側バンドが通し部２５０に通されるときの角度に応じて適宜変更することとしてもよい。変形例３によっても、逆Ｕ字形状の通し部２５０に下側バンド２１を通して下側バンド２１と接地部２６０とで充電装置２００を支持することが可能である。
【００３１】
なお、上述する各実施の形態は、本発明の好適な実施の形態であり、本発明の要旨を逸脱しない範囲内において種々変更実施が可能である。例えば、上述した本実施形態における腕時計型情報端末２０に代えて、例えばウェアラブルデバイスとしてのメガネ型デバイスやウェアラブルカメラ等を取り回しよく配置できる充電装置に本発明を応用することも可能である。
【符号の説明】
【００３２】
１、１’、１００、２００    充電装置
１１    充電部
１１ａ    接続面
１１ｂ    背面
１２    電源ケーブル
１３、１４    接続部
１５、１５０、２５０    通し部
１６、１６０、２６０    接地部
１７、２７    電源端子
１８    電源切替スイッチ
２０    腕時計型情報端末
２１    下側バンド
２２    電源スイッチ
２３    スピーカ
２４    マイクロフォン
２５    ディスプレイ
２８、２９    被接続部
【図１】
2016189562.tif 000003
【図２】
2016189562.tif 000004
【図３】
2016189562.tif 000005
【図４】
2016189562.tif 000006
【図５】
2016189562.tif 000007
【図６】
2016189562.tif 000008